(57)【要約】【課題】円筒型の電子部品を取り付ける際に、公差を吸収して不要な振動や共振音あるいは脱落などが無いようにする。その際、部品や組み立て工数が少なく、組み立ても簡単にできるようにすることである。【解決手段】筐体の水平面と垂直面にリブ１４ａ、１４ｂを設ける。そのリブ１４ａ、１４ｂにモータＭを横にして側面を当接し、弾性部材のバンド１１を掛ける。このように前記モータＭは、バンド１１がバネ性を用いてリブ１４ａ、１４ｂに押さえつけて固定するので、部品やリブ１４ａ、１４ｂに公差が有っても、取り付けの際に、それを吸収できる。このため、不要な振動や不整音あるいは脱落などを解消できる。また、取り付け部品もバンド１１だけで、部品や工数が少なく、バンド１１を掛けるだけで、組み立ても簡単である。【選択図】図１
2009011113.tif 000002
【特許請求の範囲】
【請求項１】
水平面と垂直面との間に円弧状のリブを設け、前記リブに円筒部品を横にして側面を当接し、その当接した円筒部品に、弾性材で形成したバンドを、一端を垂直面に係合し、他端を水平面に係合して押し当て、固定する円筒部品の取り付け構造。
【請求項２】
上記バンドが一方を長くした「し」の字型である請求項１に記載の円筒部品の取り付け構造。
【請求項３】
上記バンドの一端と他端が、水平面と垂直面に設けたスリットと係合するものとし、そのバンドの一端あるいは他端の先端に工具を引っ掛けるための切欠を設け、かつ、前記切欠を設けた端部が係合するスリット内に段差を設けて、その段差と係合させるとともに、前記スリットを貫通した外側の開口を大きくして工具の挿入を容易にした請求項１または２に記載の円筒部品の取り付け構造。
【発明の詳細な説明】
【技術分野】
【０００１】
この発明は、円筒型の電子部品を筐体あるいはケースなどへ取り付けるための固定構造に関するものである。
【背景技術】
【０００２】
円筒型の電子部品には、例えば、ソレノイド、モータなど比較的大きな形状のものがある。特に、ソレノイドやモータは、アクチュエータに使用する（作動時に動く）ので、携帯機器への取り付けには注意しなければならない。
【０００３】
すなわち、電子部品の外形寸法には公差があって、公差を吸収して取り付けないと不用意に動いて不要な振動や共振音などを発して問題になったり、脱落したりする場合がある。
【０００４】
そのため、例えば、（特許文献１）の携帯機器（ポケットベル）で使われる図５の着信報知用の振動モータＭでは、Ｕ字型の保持金具１にモータＭを圧入してプリント基板２に取り付けるようにしている。こうすることで、弾性のある保持金具１にモータＭをワンタッチで取り付けるようにして取り付け工数を低減し、コストダウンを図るとともに、モータＭの公差も吸収できるようにしている。
【０００５】
しかし、上記のＵ字型の保持金具１にモータＭを圧入してプリント基板２に取り付けるものでは、モータＭの振動でプリント基板２がビリ付いて不整音を生じさせる。そのため、モータＭの振動がプリント基板２に吸収されて、携帯機器を効率良く振動させることができない。また、モータＭの振動がプリント基板２の他の素子に直接影響を与える問題もある。
【０００６】
このため、モータＭを直接ケースや筐体に取り付けたいが、Ｕ型の保持金具１は、プリント基板２にしかハンダ付けできないので、使用できない問題がある。
【０００７】
この問題を解決する１つの方法として、（特許文献２）のものでは、図６に示すように、プリント基板２にシールドケース３を取り付け、そのシールドケース３に保持部４を設けて、その保持部４にモータクッション５を被せたモータＭを圧入し、そのモータＭを圧入した保持部４をプリント基板２ごと反転させてケース６の押圧部７に押し当てるようにしている。こうしてモータクッション５を介して支持することで、モータＭや保持部４の公差を吸収し、不要な振動や共振あるいは脱落などを防止し、かつ、押圧部を介して振動がケースに伝わるようにしている。
【特許文献１】実開平０１−１６２７４７号公報
【特許文献２】特開２０００−１２４６３７号公報
【発明の開示】
【発明が解決しようとする課題】
【０００８】
しかしながら、上記のモータクッションを被せたモータを保持部に圧入してケースの押圧部に押圧するようにしたものでは、Ｕ字型の保持金具を使うものに比べてモータにモータクッションを被せなければならないため、組み立て部品が増加する問題がある。
【０００９】
また、組み立てには、モータを圧入した保持部をプリント基板ごと反転させてケースの押圧部に押し当てるなど、組み立て作業も複雑で組み立て工数も増加する問題がある。また、この反転の際に、保持部からの脱落を防止して組み立てを容易にするため、モータクッションに係合溝を設け、この溝に係合する爪を保持部に設けるなど、モータクッションの形状や保持部の形状も複雑にしなければならない問題もある。
【００１０】
そこで、この発明の課題は、円筒型の電子部品を携帯機器に取り付ける際に、部品点数や組み立て工数の増加が無いようにすることである。また、組み立ても簡単にできるようにすることである。その際、公差を吸収して不要な振動や共振音あるいは脱落などの発生が無いようにすることである。
【課題を解決するための手段】
【００１１】
上記の課題を解決するため、この発明では、水平面と垂直面との間に円弧状のリブを設け、前記リブに円筒部品を横にして側面を当接し、その当接した円筒部品に、弾性材で形成したバンドを、一端を垂直面に係合し、他端を水平面に係合して押し当て、固定するという構成を採用したのである。
【００１２】
このような構成を採用することにより、例えば、ケース（筐体）の側面と底面などの水平面と垂直面との間に円弧状のリブ設けて、このリブに円筒部品を横にして当接し、弾性材のバンドを掛けて固定する。このように、組み立ては円筒部品を横にしてバンドを掛けるだけなので簡単である。また、組み立の際に取り付ける部品も弾性の有るバンドだけなので、部品数や組み立て工数の増加も無い。しかも、円筒部品は、バンドの弾性でもってリブに押し当て、押さえつけるように係止するので、例えば、円筒部品やケースの公差を吸収して固定することができる。このとき、リブの円弧を円筒部品の円弧と同じにすれば、リブと円筒部品の円弧の曲率が同じなので、円筒部品をリブに密着できる。そのため、円筒部品をより安定に固定することができる。また、このとき、２本のリブで円筒部品を支持するようにすれば、円筒部品を間隔の開いた２点で支持することになるので、ガタ付きなく支持できる。
【００１３】
また、このとき、バンドが一方を長くした「し」の字型である構成を採用することができる。
【００１４】
このような構成を採用することにより、バンドが「し」の字型であれば、バンドの端部を円弧状のリブが形成されていない垂直面と水平面に取り付けて円筒部品を支持することができる。そのため、バンドのバネ性（弾性）を十分に生かして円筒部品をリブに押さえつけることができるので、円筒部品を安定して保持できる。
【００１５】
また、このとき、バンドの一端と他端が、水平面と垂直面に設けたスリットと係合するものとし、そのバンドの一端あるいは他端の先端に工具を引っ掛けるための切欠を設け、かつ、前記切欠を設けた端部が係合するスリット内に段差を設けて、その段差と係合させるとともに、前記スリットを貫通した外側の開口を大きくして工具の挿入を容易にした構成を採用することができる。
【００１６】
このような構成を採用することにより、部品交換の際には、ドライバーなどの先端の細い工具をスリットの外側の開口から挿入し、バンドの端部をこじれば外すことができる。このとき、工具の先端をバンドの端部の切欠きに掛けることで、取外しが容易にできる。
【発明の効果】
【００１７】
この発明は、上記のように構成したことにより、円筒型の電子部品の取り付けを簡単に行なうことができる。また、その際、使用する部品もバンドだけなので最少であり、組み立てもバンドをスリットに嵌めるだけなので簡単である。さらに、円筒型の電子部品やリブに公差があってもバネ性でもって吸収できる。そのため、不要な振動や不整音あるいは脱落などを解消できる。
【発明を実施するための最良の形態】
【００１８】
以下、この発明を実施するための最良の形態を図面に基づいて説明する。
【００１９】
図１は、携帯無線機に本願の固定構造を適用したもので、振動モータＭを取り付ける筐体の底部１０と、その取り付けに用いるバンド１１とで構成されている。
【００２０】
筐体の底部１０は、水平面（実機では無線機の背面となるので、垂直面であるが説明を分かりやすくするため、図１から水平面とする）１２と垂直面（同様に図１から垂直面とする）１３との間に２本の円弧状のリブ１４ａ、１４ｂを形成したものである。前記リブ１４ａ、１４ｂは、この形態では、振動モータＭの円筒部の長さＭ１よりもやや短めの間隔を置いて形成し、モータＭを支持できるようにしてある。このとき、図１のように、モータＭの後部（手前）を支持する側のリブ１４ｂをモータの前部（向こう）を支持する側のリブ１４ａよりも太くすることで、ブラシなどのある後部側を安定させるようにしてある。
【００２１】
このリブ１４ｂの外側の水平面１２には、図１のような、突条２３が設けてある。前記突条２３は、リブ１４ｂに沿って設けることで、モータＭを取り付けるとその後端が当接するようにしてある。こうすることで、モータＭを取り付ける部分を区切って、その区切られた部分にモータＭを嵌めれば、モータＭが簡単に取り付けられるようにするとともに、取り付けたモータＭの移動も阻止できるようにしてある。
【００２２】
また、前記リブ１４ａ、１４ｂは、振動モータＭの円筒側面とほぼ同じ曲率で形成されており、前記モータＭを当接させた際に、ガタ付きなどを起こさないようしてある。このリブ１４ａ、１４ｂの上端と下端には、図２に示すように、スリット１５ａ、１５ｂが設けられている。前記スリット１５ａ、１５ｂは、筐体を貫通するもので、上端のスリット１５ａは、リブ１４ａと１４ｂ間に横向に形成したもので、その長さはリブ１４ａとリブ１４ｂの間の幅とほぼ等しくしてある。一方、下端のスリット１５ｂは、上端のスリット１５ａと同じ幅であるが、図２のように、段差ｄを設けて貫通先の外側の開口１６を大きくしてある。
【００２３】
バンド１１は、例えば、金属などの弾性体を、図２のように、一方を他方より長くして、「し」の字型としたものである。このバンド１１の両端１７ａ、１７ｂは、それぞれ、外向きに折り曲げて前記スリット１５ａ、１５ｂと係合するようにしてある。このとき、一方の端部（「し」の字の長い方の端部）１７ｂを直角に折り曲げ、他方の端部（「し」の字の短いほう）１７ａを直角よりも浅く折り曲げて、その端部１７ａ、１７ｂの近傍に、それぞれ、貫通孔１８ａ、１８ｂを設けて、後述のように、液状の接着剤を保持するようにしてある。
【００２４】
また、この形態では、他方の端部１７ａの貫通孔１８ａを、バンド１１を切り欠いて立ち上げてストッパー１９を形成し、後述のように、バンド１１がスリット１５ａに入り込まないようにしてある。さらに、一方の端部１７ｂには、先端を三角に切り欠いた切欠２０を設けて、工具を掛ける引っかかりを形成してある。なお、前記ストッパー１９は、バンド１１を切り欠いて立ち上げたものに限定されるものではなく、別体のものを取り付けることもできる。
【００２５】
振動モータＭは、周知のモータ軸に分銅ｇを取り付けた円筒形のである。また、ここでは、前記モータＭは、端子ではなくて給電用の線を取り付けたものを使用している。
【００２６】
なお、この形態では、バンド１１に金属製のものを使用したが、金属製に限定されるものではない。これ以外に、例えば、樹脂製のものでも金属と同等の弾性と強度を有するものであれば使用できる。
【００２７】
この形態は、上記のように構成されており、振動モータＭの固定は、前記モータＭを横にして、側面をリブ１４ａ、１４ｂに当接する。この状態で図３のように、バンド１１を掛ける。このバンド１１を掛けるには、係合部１７ａ、１７ｂをそれぞれスリット１５ａ、１５ｂに嵌入するのである。すなわち、バンド１１の他方の端部１７ａを上方のスリット１５ａへ嵌入し、一方の端部１７ｂを下方のスリット１５ｂへ嵌入する。このとき、他方の端部１７ａは浅く折り曲げてあるので、バンド１１を大きく曲げなくてもスリット１５ａに嵌入することができる。また、こうして嵌入した他方の端部１７ａは、図２のように、ストッパー１９が垂直面１３に当って止まる。このとき、ストッパー１９には、バンド１１のバネ性によるテンションが掛かるので、抜け落ちを防止できる。一方の端部１７ｂは、図２のようにスリット１５ｂの段差ｄに係合して取り付けができる。このようにバンド１１を嵌めるだけで、固定作業が完了するので簡単である。
【００２８】
また、取付けられたバンド１１は、図２のように、円弧状のリブ１４ａ、１４ｂが形成されていない垂直面１３と水平面１２に取り付けてモータＭを支持することができる。そのため、バンド１１のバネ性（弾性）を十分に生かしてモータＭをリブ１４ａ、１４ｂに押さえつけることができるので、モータＭを安定して保持できる。
【００２９】
こうして、図３のように取り付けられた前記モータＭは、バネ性を用いてリブ１４ａ、１４ｂに押さえつけるようにして固定するので、部品やリブ１４ａ、１４ｂに公差が有っても、それを吸収して取り付けることができる。このため、不要な振動や不整音あるいは脱落などを解消できる。また、モータＭを直接筐体に取り付けることができるので、携帯機器を効率良く振動させることができる。
【００３０】
また、取り付けが完了すると、スリット１５ａ、１５ｂの部分に液状の接着剤を滴下すると、バンド１１の貫通孔１８ａ、１８ｂで保持され、スリット１５ａ、１５ｂに係合部１７ａ、１７ｂを接着することができる。このようにすることで強度を高めて、例えば、筐体が落下した場合でも外れないように落下強度を強化できる。
【００３１】
さらに、故障などで前記モータＭの交換が必要な場合は、図４のように、筐体の外側の開口１６からドライバーなどの先端の細い工具２１を挿入して、端部１７ｂの切欠２０に当てると、「こじる」ことができるので、接着された端部１７ｂも簡単に外すことができる。そのため、バンド１１を外してモータＭの交換も簡単にできる。
【００３２】
なお、この形態では、筐体の底部１０の底面と背面を垂直面１３と水平面１２としたが、水平な面と垂直な面が在れば本願の固定構造が構成できるので、円筒部品を取り付ける水平面１２と垂直面１３を設ければ、筐体やケース内の何処にでも取り付けられる。
【産業上の利用可能性】
【００３３】
この発明は、バネ性を利用して押さえつけるようにして電子部品を固定するので、電子部品の公差が大きくてもしっかりと固定できる。そのため、公差の大きな電子部品を取り付ける電子機器全般に利用可能である。
【図面の簡単な説明】
【００３４】
【図１】実施形態の分解斜視図
【図２】実施形態の断面図
【図３】実施形態の斜視図
【図４】図３の底面側の斜視図
【図５】従来例の分解斜視図
【図６】他の従来例の断面図
【符号の説明】
【００３５】
１１  バンド
１２  水平面
１３  垂直面
１４ａ  リブ
１４ｂ  リブ
１５ａ  スリット
１５ｂ  スリット
１６  開口
１７ａ  端部（係合部）
１７ｂ  端部（係合部）
１８ａ  貫通孔
１８ｂ  貫通孔
１９  ストッパー
２０  切欠
Ｍ  振動モータ
【図１】
2009011113.tif 000003
【図２】
2009011113.tif 000004
【図３】
2009011113.tif 000005
【図４】
2009011113.tif 000006
【図５】
2009011113.tif 000007
【図６】
2009011113.tif 000008